(57)【要約】【課題】ワイヤハーネスの組付けの任意の工程で容易に電線群に取付けが可能とし、作業効率を向上させる。【解決手段】ゴムチューブ１１は、伸縮性を有し、電線群Ｗを締め付け状態に一巻きする長さを有する板状のゴムチューブ本体部１２と、ゴムチューブ本体部１２の長手方向の一端部１２ａから外方に延出し、係止爪１３ａを有するロック片部１３と、ゴムチューブ本体部１２の長手方向の他端部１２ｂの端面に、凹部を設けて形成されたロック片部１３と嵌合するロック片部収容孔１４と、を備えるよう構成した。【選択図】図５
2017153297.tif 000002
【特許請求の範囲】
【請求項１】
伸縮性を有し、電線群を締め付け状態に一巻きする長さを有する板状の電線保護部材本体部と、
前記電線保護部材本体部の長手方向の一端部から外方に延出し、一方または両方の側縁に係止爪を有するロック片部と、
前記電線保護部材本体部の長手方向の他端部の端面より内方に形成され、前記ロック片部を収容し、かつ前記係止爪と係合する係合凹部を有するロック片部収容孔と、を備えたことを特徴とする電線保護部材。
【請求項２】
前記係止爪は、鋸歯状形状に形成され、
前記係合凹部は、前記係止爪に噛みこむよう長手方向に所定の間隔を空けて複数の鋸歯状の形状に形成され、前記電線保護部材本体部が前記電線群を一巻にする際に、前記係止爪と長手方向に多段階の位置で嵌合可能であることを特徴とする請求項１に記載の電線保護部材。
【請求項３】
電線群と、請求項１または請求項２に記載の電線保護部材と、かしめ変形可能なブラケットと、を備え、
前記電線保護部材本体部が前記電線群を一巻きにし、前記ロック片部が前記ロック片部収容孔と嵌合し、前記ブラケットがかしめ変形され前記電線保護部材を拘持していることを特徴とするワイヤハーネス。
【発明の詳細な説明】
【技術分野】
【０００１】
本発明は、電線保護部材および電線保護部材を備えたワイヤハーネスに関する。
【背景技術】
【０００２】
従来、電線群を含むワイヤハーネスを自動車の車体パネルに配索するに際しては、一般的に電線群にゴムチューブ等の電線保護部材を通して電線群を保護し、ゴムチューブ上に金属ブラケットを取付け、金属ブラケットの一部を車体パネルにボルト締結することが行われている。
【０００３】
特に、ゴムチューブ上に金属ブラケットを取付けるまでのより具体的な作業としては、まず図１０に示すように電線群１０２にスリット無しのゴムチューブ１０１を端子圧着や外装取付け等の他の作業前に先通しさせる。所定の箇所に設けた位置決め治具１０３の近傍位置までゴムチューブ１０１を移動させる。さらに、ゴムチューブ１０１を所定の位置まで移動させた後に、ゴムチューブ１０１上に金属ブラケット１０４を曲げて固定させることで取付ける。このような作業を経てワイヤハーネス１００の組付け作業が行われる。
【０００４】
また、類似の方法として、筒状体の開口部分に電線の装着部分に横方向から当接させて押し込むように装着させる方法も知られている（例えば、特許文献１参照）。
【先行技術文献】
【特許文献】
【０００５】
【特許文献１】特開２００３−３０８７４２号公報
【発明の概要】
【発明が解決しようとする課題】
【０００６】
しかし、端子圧着や外装取付け等の作業は、電線にゴムチューブ等を通す前に行った方が効率的であるにも関わらず、スリット無しのゴムチューブでは端子圧着前にゴムチューブを先通しするため、非常に工数がかかり作業効率が悪いという問題があった。
【０００７】
本発明は、上述のような課題を解決するためになされたもので、ワイヤハーネスの組付けの任意の工程で容易に電線群に取付けが可能であり、作業効率を向上させることができる電線保護部材および電線保護部材を備えたワイヤハーネスを提供することを目的とする。
【課題を解決するための手段】
【０００８】
本発明に係る電線保護部材は、上記目的達成のため、伸縮性を有し、電線群を締め付け状態に一巻きする長さを有する板状の電線保護部材本体部と、前記電線保護部材本体部の長手方向の一端部から外方に延出し、一方または両方の側縁に係止爪を有するロック片部と、前記電線保護部材本体部の長手方向の他端部の端面より内方に形成され、前記ロック片部を収容し、かつ前記係止爪と係合する係合凹部を有するロック片部収容孔と、を備えるよう構成されている。
【０００９】
この構成により、本発明に係る電線保護部材は、電線保護部材本体部の一端側に設けられたロック片部と他端側のロック片部収容孔に設けられた係合凹部とが嵌合することで、電線保護部材本体部が電線群を一巻きにして保持するようになっている。このため、電線保護部材は、ワイヤハーネスの組付けの任意の工程で容易に電線群に取付けが可能であり、作業効率を向上させることができる。
【００１０】
また、上記構成の電線保護部材は、前記ロック片部が有する前記係止爪は、鋸歯状形状に形成され、前記係合凹部は、前記係止爪に噛みこむよう長手方向に所定の間隔を空けて複数の鋸歯状の形状に形成され、前記電線保護部材本体部が前記電線群を一巻にする際に、前記係止爪と長手方向に多段階の位置で嵌合可能である構成としてもよい。
【００１１】
この構成により、係止爪は鋸歯状形状に形成され、ロック片部収容孔の内面壁が長手方向に所定の間隔を空けて複数の鋸歯状の形状に形成されているので、ロック片部は長手方向に多段階の位置で係合凹部に嵌合可能である。このため、電線保護部材が巻く電線群の外径に応じた適切な位置で確実にロック片部をロック用凹部に嵌合することができる。
【００１２】
本発明に係るワイヤハーネスは、電線群と上記の電線保護部材と、かしめ変形可能なブラケットと、を備え、前記電線保護部材本体部が前記電線群を一巻きにし、前記ロック片部が前記係合凹部と嵌合し、前記ブラケットがかしめ変形され前記電線保護部材を拘持するよう構成される。
【００１３】
この構成により、本発明に係るワイヤハーネスは、電線保護部材本体部の一端側に設けられたロック片部と他端側に設けられた係合凹部とが嵌合することで、電線保護部材本体部が電線群を一巻きにして保持するようになっている。このため、電線保護部材は、ワイヤハーネスの組付けの任意の工程で容易に電線群に取付けが可能であり、作業効率を向上させることができる。また、電線保護部材が巻く電線群の外径に応じた適切な位置で確実にロック片部を係合凹部に嵌合することができる。
【発明の効果】
【００１４】
本発明によれば、ワイヤハーネスの組付けの任意の工程で容易に電線群に取付けが可能であり、作業効率を向上させることができる電線保護部材および電線保護部材を備えたワイヤハーネスを提供することができる。
【図面の簡単な説明】
【００１５】
【図１】本発明の第１の実施の形態に係る電線保護部材を備えたワイヤハーネスを示す斜視図である。
【図２】本発明の第１の実施の形態に係る電線保護部材を示す正面図である。
【図３】本発明の第１の実施の形態に係る電線保護部材を示す断面図である。
【図４】本発明の第１の実施の形態に係る電線保護部材の変形例を示す正面図である。
【図５】本発明の第１の実施の形態に係る電線保護部材を巻いた状態を示す断面図である。
【図６】本発明の第２の実施の形態に係る電線保護部材を備えたワイヤハーネスを示す斜視図である。
【図７】本発明の第２の実施の形態に係る電線保護部材を示す正面図である。
【図８】本発明の第２の実施の形態に係る電線保護部材を示す断面図である。
【図９】本発明の第２の実施の形態に係る電線保護部材を巻いた状態を示す断面図である。
【図１０】従来の電線保護部材を電線群に通して構成したワイヤハーネスを示す斜視図である。
【発明を実施するための形態】
【００１６】
以下、本発明の実施の形態に係る電線保護部材およびワイヤハーネスについて、図面を参照して説明する。
【００１７】
（第１の実施の形態）
図１は本実施の形態に係るワイヤハーネス１０の斜視図である。ワイヤハーネス１０は、電線群Ｗとゴムチューブ１１とブラケット１５とを備えて構成されている。図２に示すように、ゴムチューブ１１はゴムチューブ本体部１２とロック片部１３とロック片部収容孔１４とを備えて構成されている。ゴムチューブ１１は本発明に係る電線保護部材を、ゴムチューブ本体部１２は本発明に係る電線保護部材本体部を構成する。
【００１８】
ワイヤハーネス１０は、図１の状態でゴムチューブ本体部１２は電線群Ｗを一巻にし、ロック片部１３はロック片部収容孔１４と嵌合している。ブラケット１５は金属製であり、かしめ変形可能に構成されている。ブラケット１５はかしめ変形されゴムチューブ１１を拘持している。ブラケット１５はブラケット本体部１５ａと円弧状部１５ｂと孔部１５ｃを含んで構成されている。円弧状部１５ｂはゴムチューブ１１を一巻にした状態で支持している。ブラケット本体部１５ａには、ボルト等の締結具を通しワイヤハーネス１０を車体パネル等に固定するための孔部１５ｃが設けられている。
【００１９】
ゴムチューブ１１の寸法は、長手方向に約５０ｍｍ程度、短手方向に約３５ｍｍ程度、厚さ方向に約６ｍｍ程度としたが、必ずしもこの寸法に限られず他の寸法であってもよい。長手方向は図２中の上下方向、短手方向は左右方向、厚さ方向は鉛直方向とする。
【００２０】
ゴムチューブ本体部１２は、伸縮性を有し、電線群Ｗを締め付け状態に一巻きする長さを有する板状の部材である。本実施の形態ではゴムチューブ本体部１２の材料としてゴムを用いたが伸縮性を有する樹脂等を用いても良い。以下、ゴムチューブ本体部１２の図２中下側の端部を一端部１２ａ、上側の端部を他端部１２ｂとする。
【００２１】
ロック片部１３は、ゴムチューブ本体部１２の長手方向の一端部１２ａから外方に、すなわち長手方向に延出しており、一方または両方の側縁に係止爪１３ａを有している。図２に示す例では係止爪１３ａはロック片部１３の短手方向両側に設けられている。図２に示すように、係止爪１３ａの形状は後述する係合凹部１４ｂと係合させやすくするため、先端が鋭角状となっているが、必ずしもこの形状に限られず、例えば図４に示すように四角形状の係止爪１３ａ´とし、係合凹部１４ｂ´のようにしてもよい。
【００２２】
ロック片部収容孔１４は、図３に示すように、ゴムチューブ本体部１２の長手方向の他端部１２ｂの端面より内方に形成されロック片部１３を収容するようになっている。ロック片部収容孔１４の内面壁１４ａには係止爪１３ａと係合する係合凹部１４ｂが設けられており、係止爪１３ａが係合凹部１４ｂと係合することでロック片部１３とロック片部収容孔１４が嵌合する。ロック片部収容孔１４の厚さ方向の高さは例えば２ｍｍ程度で、長手方向の奥行は１０ｍｍ程度あり、ロック片部１３を受け入れ可能であるサイズとしているが、電線群Ｗの外径等に応じてこれらのサイズを変更してもよい。
【００２３】
ゴムチューブ１１で電線群Ｗを一巻にする際は、図５に示すようにゴムチューブ本体部１２が円弧を描くよう一端部１２ａ側のロック片部１３を他端部１２ｂ側のロック片部収容孔１４まで移動させ嵌合させる。これにより図１に示すようにゴムチューブ１１が電線群Ｗを一巻にした状態となる。
【００２４】
以上のように、本実施の形態に係るゴムチューブ１１は、伸縮性を有し、電線群Ｗを締め付け状態に一巻きする長さを有する板状のゴムチューブ本体部１２と、ゴムチューブ本体部１２の長手方向の一端部１２ａから外方に延出し、一方または両方の側縁に係止爪１３ａを有するロック片部１３と、ゴムチューブ本体部１２の長手方向の他端部１２ｂの端面より内方に形成され、ロック片部１３を収容し、かつ係止爪１３ａと係合する係合凹部１４ｂを有するロック片部収容孔１４と、を備えて構成される。
【００２５】
このため、ゴムチューブ１１は、ゴムチューブ本体部１２の一端部１２ａ側に設けられたロック片部１３と他端部１２ｂ側に設けられたロック片部収容孔１４とが嵌合することで、ゴムチューブ本体部１２が電線群Ｗを一巻きにして保持するようになっている。このため、ゴムチューブ１１は、ワイヤハーネス１０の組付けの任意の工程で容易に電線群Ｗに取付けが可能であり、作業効率を向上させることができる。
【００２６】
（第２の実施の形態）
第２の実施の形態に係るワイヤハーネスは、第１の実施の形態とはゴムチューブのロック片部および係合凹部の形状が異なるのみで、電線群やガスケットなど他の構成要素については同一である。したがって相違部分を中心に説明する。
【００２７】
図６は本実施の形態に係るワイヤハーネス２０の斜視図である。ワイヤハーネス２０は、電線群Ｗとゴムチューブ２１とブラケット１５とを備えて構成されている。図７に示すように、ゴムチューブ２１はゴムチューブ本体部２２とロック片部２３とロック片部収容孔２４とを備えて構成されている。ゴムチューブ２１は本発明に係る電線保護部材を、ゴムチューブ本体部２２は本発明に係る電線保護部材本体部を構成する。
【００２８】
ゴムチューブ２１の寸法は、長手方向に約５０ｍｍ程度、短手方向に約３５ｍｍ程度、厚さ方向に約６ｍｍ程度としたが、必ずしもこの寸法に限られず他の寸法であってもよい。長手方向は図７中の上下方向、短手方向は左右方向、厚さ方向は鉛直方向とする。
【００２９】
ゴムチューブ本体部２２は、伸縮性を有し、電線群Ｗを締め付け状態に一巻きする長さを有する板状の部材である。本実施の形態ではゴムチューブ本体部２２の材料としてゴムを用いたが伸縮性を有する樹脂等を用いても良い。ゴムチューブ本体部２２の図７中下側の端部を一端部２２ａ、上側の端部を他端部２２ｂとする。
【００３０】
ロック片部２３は、ゴムチューブ本体部２２の長手方向の一端部２２ａから外方に、すなわち長手方向に延出しており、一方または両方の側縁に係止爪２３ａを有している。図７に示す例ではロック片部２３の両側の側縁に係止爪２３ａを有する。係止爪２３ａの形状は係合凹部２４ｂと係合させやすくするため、先端が鋸歯状形状に形成されている。
【００３１】
ロック片部収容孔２４は、図８に示すように、ゴムチューブ本体部２２の長手方向の他端部２２ｂの端面より内方に形成されロック片部２３を収容するようになっている。ロック片部収容孔２４の内面壁２４ａには係止爪２３ａと係合する係合凹部２４ｂが設けられており、係止爪２３ａが係合凹部２４ｂと係合することでロック片部２３とロック片部収容孔２４が嵌合する。
【００３２】
ロック片部収容孔２４の厚さ方向の高さは例えば２ｍｍ程度で、長手方向の奥行は１０ｍｍ程度あり、ロック片部２３を受け入れ可能であるサイズとしているが、電線群Ｗの外径等に応じてこれらのサイズを変更してもよい。
【００３３】
内面壁２４ａに設けられた係合凹部２４ｂは係止爪２３ａに噛みこむよう長手方向に所定の間隔を空けて複数の鋸歯状の形状に形成されている。ここでいう所定の間隔とは数ｍｍ〜１０ｍｍ程度である。本実施の形態では係止爪２３ａは短手方向両側にそれぞれ３つずつ設けられているが、係止爪の個数は必ずしもこれに限られず、電線群Ｗの外径等に応じて変更してもよい。
【００３４】
ゴムチューブ２１で電線群Ｗを一巻にする際は、図９（Ａ）に示すようにゴムチューブ本体部２２が円弧を描くよう一端部２２ａ側のロック片部２３を他端部２２ｂ側のロック片部収容孔２４まで移動させ嵌合させる。これにより図６に示すようにゴムチューブ２１が電線群Ｗを一巻にした状態となる。
【００３５】
ここで、ロック片部収容孔２４の内面壁２４ａに長手方向に所定の間隔を空けて複数の鋸歯状の形状に形成された係合凹部２４ｂ設けているので、電線群Ｗの外径等に応じて適切な位置で係止爪２３ａと係合させて、ロック片部２３とロック片部収容孔２４を嵌合させることができる。
【００３６】
例えば、電線群Ｗの外径が大きいときは図９（Ｂ）に示すようにロック片部２３をロック片部収容孔２４の手前側の浅い位置で嵌合させる。また電線群Ｗの外径が小さいときは図９（Ｃ）に示すようにロック片部２３をロック片部収容孔２４の奥側の深い位置で嵌合させる。
【００３７】
以上のように、本実施の形態に係るゴムチューブ２１は、伸縮性を有し、電線群Ｗを締め付け状態に一巻きする長さを有する板状のゴムチューブ本体部２２と、ゴムチューブ本体部２２の長手方向の一端部２２ａから外方に延出し、一方または両方の側縁に係止爪２３ａを有するロック片部２３と、ゴムチューブ本体部２２の長手方向の他端部２２ｂの端面より内方に形成され、ロック片部２３を収容し、かつ係止爪２３ａと係合する係合凹部２４ｂを有するロック片部収容孔２４と、を備えて構成される。
【００３８】
また、ロック片部２３が有する係止爪２３ａは、鋸歯状形状に形成され、係合凹部２４ｂは、内面壁２４ａが係止爪２３ａに噛みこむよう長手方向に所定の間隔を空けて複数の鋸歯状の形状に形成され、ゴムチューブ本体部２２が電線群Ｗを一巻にする際に、係止爪２３ａと長手方向に多段階の位置で嵌合可能であるよう構成される。
【００３９】
この構成により、係止爪２３ａは鋸歯状形状に形成され、係合凹部２４ｂが長手方向に所定の間隔を空けて複数の鋸歯状の形状に形成されているので、ロック片部２３は長手方向に多段階の位置で係合凹部２４ｂに嵌合可能である。このため、ゴムチューブ２１が巻く電線群Ｗの外径に応じた適切な位置で確実にロック片部２３をロック片部収容孔２４に嵌合することができる。
【００４０】
また、本実施の形態に係るワイヤハーネス２０は、電線群Ｗと、ゴムチューブ２１と、かしめ変形可能なブラケット１５と、を備え、ゴムチューブ本体部２２が電線群Ｗを一巻きにし、ロック片部２３がロック片部収容孔２４と嵌合し、ブラケット１５がかしめ変形されゴムチューブ２１を拘持して構成されている。
【００４１】
この構成により、ゴムチューブ本体部２２の一端部２２ａ側に設けられたロック片部２３と他端部２２ｂ側に設けられた係合凹部２４ｂとが嵌合することで、ゴムチューブ本体部２２が電線群Ｗを一巻きにして保持するようになっている。このため、ゴムチューブ２１は、ワイヤハーネス２０の組付けの任意の工程で容易に電線群Ｗに取付けが可能であり、作業効率を向上させることができる。また、ゴムチューブ２１が巻く電線群Ｗの外径に応じた適切な位置で確実にロック片部２３を係合凹部２４ｂに嵌合することができる。
【００４２】
なお、本発明に係る電線保護部材およびワイヤハーネスの技術的範囲は、上述した実施の形態に限定されるものではなく、特許請求の範囲に記載した各構成要素の種々の変更を含むものである。
【００４３】
以上説明したように、本発明に係る電線保護部材および電線保護部材を備えたワイヤハーネスは、ワイヤハーネスの組付けの任意の工程で容易に電線群に取付けが可能であり、作業効率を向上させることができるという効果を有し、電線保護部材およびワイヤハーネス全般に有用である。
【符号の説明】
【００４４】
１０、２０  ワイヤハーネス
１１、２１  ゴムチューブ（電線保護部材）
１２、２２  ゴムチューブ本体部（電線保護部材本体部）
１２ａ、２２ａ  一端部
１２ｂ、２２ｂ  他端部
１３、２３  ロック片部
１３ａ、１３ａ´、２３ａ  係止爪
１４、２４  ロック片部収容孔
１４ａ、２４ａ  内面壁
１４ｂ、１４ｂ´、２４ｂ  係合凹部
１５  ブラケット
１５ａ  ブラケット本体部
１５ｂ  円弧状部
１５ｃ  孔部
Ｐ  車体パネル
Ｗ  電線群
【図１】
2017153297.tif 000003
【図２】
2017153297.tif 000004
【図３】
2017153297.tif 000005
【図４】
2017153297.tif 000006
【図５】
2017153297.tif 000007
【図６】
2017153297.tif 000008
【図７】
2017153297.tif 000009
【図８】
2017153297.tif 000010
【図９】
2017153297.tif 000011
【図１０】
2017153297.tif 000012